(57)【要約】【課題】複数の光源および反射板の長手方向端部を一対の壁部により覆うことを目的とする。【解決手段】照明装置１００は、少なくとも２つの光源部と、光源部の長手方向端部を囲むとともに被取付部に取り付けられる取付板部から突き出した１対の内側面部１４２とを備える。また、照明装置１００は、端部が内側面部１４２と近接して配置され光源部から発せられる光を反射する反射部１７１と、反射部１７１の端部に設けられた引掛け部１７３とを備える反射板１７０を備える。内側面部１４２は、反射部１７１の端部を内側面部１４２に対し斜めに挿入可能かつ２つの光源に挟まれるように形成された開口部１４３を備える。引掛け部１７３は、開口部１４３の内側面部１４２が突き出す方向の縁部に引っ掛けられている。【選択図】図６
2018022708.tif 000002
【特許請求の範囲】
【請求項１】
少なくとも２つの光源と、
前記２つの光源の長手方向端部を囲むとともに被取付部に取り付けられる取付板部から突き出した１対の壁部と、
両側に端部を有し前記両側の端部の各端部が前記１対の壁部の各壁部と近接して配置され前記２つの光源から発せられる光を反射する板部と、前記板部の前記両側の端部の各端部に設けられた引掛け部とを備える反射板と、
を備え、
前記１対の壁部の各壁部は、
前記反射板の前記板部の前記端部を前記壁部に対し斜めに挿入可能かつ前記２つの光源に挟まれるように形成された開口部を備え、
前記引掛け部は、
前記開口部の前記１対の壁部が突き出す方向の縁部に引っ掛けられている反射板取付機構を備えた照明装置。
【請求項２】
前記反射板は、前記２つの光源に挟まれた前記取付板部の取付部分を覆っている請求項１に記載の照明装置。
【発明の詳細な説明】
【技術分野】
【０００１】
本発明は、反射板取付機構を備える照明装置に関する。
【背景技術】
【０００２】
従来、天井に取り付けられる照明装置には、光源性能を補助する為、または取り付けのためのボルトや結線部を隠すために、反射板・化粧板が取り付けられている。
これらの反射板・化粧板の取り付け方法は、ビスにより取り付ける方法、Ｖ形形状をした反射板の曲げ特性による弾性を利用して取り付ける方法（例えば、特許文献１，２）等でおこなっている。
【先行技術文献】
【特許文献】
【０００３】
【特許文献１】特開平０６−２９０６１２号公報
【特許文献２】特許第２９９３３６８号公報
【特許文献３】特開２００７−０３５６０３号公報
【特許文献４】特開２０１３−１２７９５１号公報
【特許文献５】特開２０００−１３８００４号公報
【発明の概要】
【発明が解決しようとする課題】
【０００４】
しかし、ビスにより取り付ける方法では、意匠面にビスが見えてしまうという課題がある。
また、曲げ特性による弾性を利用して取り付ける方法では、引掛けるスペース等の取付部分が意匠面にでてしまうという課題がある。さらに、弾性力を持たせるためにＶ型曲げ角度を狭めにする等、曲げ形状が限定されるという課題がある。
【０００５】
本発明は、上記のような課題を解決するためになされたものであり、ビスや取付部分等が意匠面に表れることがなく、弾性力も必要としない照明装置の反射板取付機構を提供することを目的とする。
【課題を解決するための手段】
【０００６】
本実施の形態に係る照明装置は、少なくとも２つの光源と、前記２つの光源の長手方向端部を囲むとともに被取付部に取り付けられる取付板部から突き出した１対の壁部と、両側に端部を有し前記両側の端部の各端部が前記１対の壁部の各壁部と近接して配置され前記２つの光源から発せられる光を反射する板部と、前記板部の前記両側の端部の各端部に設けられた引掛け部とを備える反射板と、を備え、前記１対の壁部の各壁部は、前記反射板の前記板部の前記端部を前記壁部に対し斜めに挿入可能かつ前記２つの光源に挟まれるように形成された開口部を備え、前記引掛け部は、前記開口部の前記１対の壁部が突き出す方向の縁部に引っ掛けられている反射板取付機構を備えた。
【発明の効果】
【０００７】
本発明に係る照明装置は、少なくとも２つの光源と、２つの光源の長手方向端部を囲むとともに被取付部に取り付けられる取付板部から突き出した１対の壁部と、両側に端部を有し前記両側の端部の各端部が前記１対の壁部の各壁部と近接して配置され２つの光源から発せられる光を反射する板部と、板部の両側の端部の各端部に設けられた引掛け部とを備える反射板とを備える。１対の壁部の各壁部は、反射板の板部の端部を壁部に対し斜めに挿入可能かつ２つの光源に挟まれるように形成された開口部を備える。引掛け部は、開口部の１対の壁部が突き出す方向の縁部に引っ掛けられている反射板取付機構を備える。よって、本発明に係る照明装置によれば、複数の光源および反射板の長手方向端部を一対の壁部により容易に覆うことができる。また、本発明に係る照明装置は、反射板は、２つの光源部に挟まれた取付板部の取付部分を覆う。よって、本発明に係る照明装置によれば、反射板を取り外し取付板部を取り付けた後、反射板である板部の一方の端部を開口部に対し斜めに挿入することにより容易に取付部分を覆うことができる。
【図面の簡単な説明】
【０００８】
【図１】実施の形態１に係る照明装置１００の斜視図である。
【図２】実施の形態１に係る照明装置１００の分解斜視図である。
【図３】実施の形態１に係る枠部１４０を本体部１６０側から見た斜視図である。
【図４】図３のＡ部をＰ１方向から見た拡大斜視図を模式的に示した図である。
【図５】実施の形態１に係る反射板１７０を示す図であり、（ａ）は反射板１７０の斜視図及び引掛け部１７３の拡大図、（ｂ）は反射板１７０をＰ２方向から見た図である。
【図６】実施の形態１に係る反射板１７０を開口部１４３に取り付ける取付方法（ａ）〜（ｃ）を説明するための模式図である。
【図７】実施の形態１に係る枠部１４０に反射板１７０を取り付けた状態を示す図であり、（ａ）は反射板１７０を取り付けた枠部１４０を被取付面側（上方）から見た斜視図、（ｂ）は（ａ）のＢ部を拡大した部分拡大図である。
【図８】図７（ａ）の開口部１４３部分をＰ３方向から見た模式図である。
【発明を実施するための形態】
【０００９】
以下、本発明の実施の形態について、図を用いて説明する。なお、以下の実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１０】
実施の形態１．
図１は、本実施の形態に係る照明装置１００の斜視図である。図２は、本実施の形態に係る照明装置１００の分解斜視図である。
照明装置１００（照明器具）は、例えば、天井面、壁面等の被取付面２００（被取付部）に取り付けられる。本実施の形態では、天井面を被取付面２００として説明し、被取付面側を天井面側あるいは上方（上側）とし、被取付面側の反対側を照射方向側あるいは下方（下側）として説明する。なお、壁面などを被取付面２００とした場合でも本実施の形態は適用することができる。
【００１１】
図１及び図２に示すように、照明装置１００は、光源部１２０、電源部１３０、枠部１４０、本体部１６０、反射板１７０を備える。
本体部１６０は、被取付面２００に固定される。本体部１６０は、金属板の折り曲げ加工によって形成され、被取付面２００に当接する取付板部１６１と、取付板部１６１の周縁から下方（照射方向）に形成された本体縁部１６２とを備える。
本実施の形態では、取付板部１６１の形状は、略正方形である。ただし、取付板部１６１の形状は、長方形、多角形、円形、楕円形などでもよい。
【００１２】
取付板部１６１は、例えば、一対の向かい合う辺１６３の略中心となる直線ｌ上の位置に、本体部１６０を被取付面２００に固定するための一対の本体取付孔１８０が形成される。
また、本体部１６０は、一対の向かい合う辺１６３から照射方向側に形成された１対のバネ部１５０を備える。バネ部１５０は、例えば、板バネである。
【００１３】
電源部１３０は、取付板部１６１に取り付けられる。電源部１３０は、外部電源から電力を入力し、ＬＥＤ１２２ａを点灯させるための電力を生成し、生成した電力を光源部１２０に供給する。電源部１３０は、取付板部１６１において、光源部１２０の外側の枠部１４０に覆われる位置に配置される。
【００１４】
光源部１２０は、取付板部１６１に取り付けられる。図２に示すように、光源部１２０は、例えば、取付板部１６１の直線ｌの両側にひとつずつ配置される。つまり、２つの光源部１２０は、本体取付孔１８０を中心に対象になるように配置されている。
光源部１２０は、ＬＥＤ１２２ａと、ＬＥＤ１２２ａが実装される基板部１２２ｂとからなるＬＥＤユニット１２２（光源）と、ＬＥＤユニット１２２が取り付けられる光源保持部１２１（光源取付部）とを備える。光源保持部１２１は、本体部１６０の取付板部１６１にネジなどにより固定される。
また、光源部１２０は、光源保持部１２１に、ＬＥＤユニット１２２を覆うように取り付けられ、ＬＥＤ１２２ａからの光を拡散させる光源カバー部１２３を備える。
【００１５】
枠部１４０は、中央が開口するロ字形状をしており、光源部１２０と本体取付孔１８０とを囲むように本体部１６０に取り付けられる。中央の開口を中央開口１４７とする。枠部１４０は、本体部１６０を覆うように曲げられた外側面部１４１と、光源部１２０と本体取付孔１８０とを囲むように曲げられた内側面部１４２とを有している。枠部１４０は、外側面部１４１と内側面部１４２とにより本体部１６０の本体縁部１６２を覆うようにして、本体部１６０に取り付けられる。枠部１４０が本体部１６０に取り付けられると、中央開口１４７から光源部１２０と反射板１７０とが露出する（図１参照）。
【００１６】
また、枠部１４０は、光源カバー部１２３の端面１２３１（あるいは、ＬＥＤユニット１２２の端辺）が当接あるいは近接する内側面部１４２１の略中央部に、開口部１４３が形成される。
内側面部１４２において、２つの光源部１２０の端部（光源カバー部１２３の端面１２３１、あるいは、ＬＥＤユニット１２２の端辺）に挟まれる箇所に開口部１４３が形成される。開口部１４３は、反射板１７０を枠部１４０に取り付ける際に用いられる。
【００１７】
バネ部１５０は、枠部１４０に覆われる箇所から、枠部１４０の開口部１４３に飛び出すように配置されており、開口部１４３に取り付けられた反射板１７０を、被取付面２００と反対方向（照射方向）へ押圧する。
なお、本実施の形態では、バネ部１５０は、枠部１４０に覆われる箇所に取り付けられているが、例えば、取付板部１６１の中心部より枠部１４０の方向へ向かって取り付けられてもよい。バネ部１５０の形状も弾性力を有していれば、どのような形状でも良く、例えば、曲線形状でもよい。また、バネ部１５０の数も、３個、４個などでもよい。
【００１８】
反射板１７０は、金属板の折り曲げ加工により形成される。反射板１７０は、２つの光源部１２０に挟まれる位置（図１参照）に配置される。
反射板１７０は、両側に配置された２つの光源部１２０から発せられる光を反射するとともに、２つの光源部１２０に挟まれた取付板部１６１の取付部分等（本体取付孔１８０部分等）を覆う化粧板の役目をする。
【００１９】
図３は、本実施の形態に係る枠部１４０を本体部１６０側から見た斜視図である。図４は、図３のＡ部をＰ１方向から見た拡大斜視図を模式的に示した図である。
図３に示すように、内側面部１４２の上端部には、取付板部１６１（図２参照）にネジ止めなどにより取り付けられる枠部取付部１４２２が形成されている。枠部１４０が本体部１６０に取り付けられた状態では、内側面部１４２は、取付板部１６１から下方に立設された壁部となる。すなわち、対向する内側面部１４２（１対の内側面部１４２）は、１対の壁部の一例である。
【００２０】
図４は、開口部１４３近傍の拡大斜視図であり、開口部１４３の形状を模式的に表している。開口部１４３は、下方の縁部１４３ａに、反射板１７０の曲げ形状と同様の形状をした傾斜部１４６が形成される。傾斜部１４６の両側には、反射板１７０を取り付ける際に、反射板１７０を所定の位置へ誘導する誘導片１４４を備える。また、開口部１４３は、誘導片１４４の外側に、反射板１７０の引掛け部１７３と嵌合する反射板嵌合部１４５（溝部）を備える。
【００２１】
誘導片１４４は、枠部１４０の内側（中央開口１４７側）に折り曲げられている。誘導片１４４の角部は、滑らかになるようにＲ形状に曲げ加工された曲げ加工部１４４ａとなっている。この曲げ加工部１４４ａにより、反射板１７０を開口部１４３へ挿入する際、誘導片１４４と反射板１７０とが接触する場合があるが、この接触時の反射板１７０との擦れを緩和することができる。
【００２２】
図５は、本実施の形態に係る反射板１７０を示す図であり、（ａ）は反射板１７０の斜視図及び引掛け部１７３の拡大図、（ｂ）は反射板１７０をＰ２方向から見た図である。
反射板１７０は、金属板が照射方向側（下方）に突き出るようにＶ字状に曲げられて形成された反射部１７１（板部）と、反射部１７１の両側の端部に各端部（板端部１７４とする）に形成された引掛け部１７３とを備える。
本実施の形態では、反射部１７１は、Ｖ字状に曲げられているが、Ｖ字状に限られず、例えば、半円状、円弧状、台形状などの形状でもよい。また、必ずしも、照射方向側（下方）に突き出ていなくてもよく、平面状でもよい。あるいは、取付板部１６１側に突き出ていてもよい。
【００２３】
反射部１７１は、照射方向側の面で光源部１２０から発せられる光を反射し、取付板部１６１側の面で取付板部１６１の一部を覆う。反射部１７１は、短手方向の両端部に反射板側面部１７２が形成される。反射板側面部１７２は、取付板部１６１に対して略直角となるように曲げられている。反射板側面部１７２は、反射板１７０の両側に配置された光源部１２０と接する。
【００２４】
引掛け部１７３は、板端部１７４の短手方向の両端部の反射板側面部１７２部分に、反射板１７０の長手方向の外側に突出するように形成される。
図５（ｂ）に示すように、反射板１７０のＶ字部分の曲げ角度θ１とすると、角度θ１に制限はなく、どのような角度でも、本実施の形態は適用することが可能である。反射板１７０の短手方向の幅をＬ１０とする。
【００２５】
図５（ａ）の引掛け部１７３の拡大図に示すように、引掛け部１７３は、開口部１４３の下方の縁部に形成された反射板嵌合部１４５と係合する凹部１７３１と、凹部１７３１に向かって、徐々に下方から上方に傾斜したスライド部１７３２とを備える。
スライド部１７３２は、反射板１７０を開口部１４３の下方の縁部に取り付ける際に、凹部１７３１と反射板嵌合部１４５との嵌め合いを容易にする。
【００２６】
光源部１２０の長手方向の長さＬ１（図２の光源カバー部１２３参照）と、反射板１７０の反射部１７１の長さＬ２と、１対の内側面部１４２の間の長さＬ３（図３参照）とは、ほぼ同一となる。反射板１７０の全長Ｌ４は、反射部１７１の長さＬ２よりも引掛け部１７３の長さＬ５×２（図５（ａ）の引掛け部１７３の拡大図参照）だけ長い。
【００２７】
図６は、本実施の形態に係る反射板１７０を開口部１４３に取り付ける反射板取付機構１１０の取付方法（ａ）〜（ｃ）を説明するための模式図である。図６において、本体部１６０に取り付けられたバネ部１５０の状態は点線で示されている。
図６を用いて、反射板１７０の開口部１４３への取り付け方法について説明する。
図６において、反射板取付機構１１０は、反射部１７１と引掛け部１７３とを備える反射板１７０と、開口部１４３が形成された一対の内側面部１４２とから構成される。
【００２８】
まず、図６（ａ）に示すように、反射板１７０の一方の板端部１７４を、１対の内側面部１４２に形成された１対の開口部１４３の一方の開口部１４３へ斜めに挿入する。
これは、図５に示すように、反射板１７０の全長Ｌ４は、反射部１７１の長さＬ２よりも引掛け部１７３の長さＬ５×２だけ長く、１対の内側面部１４２の間の長さＬ３（図３参照）よりも長いためである。
したがって、開口部１４３の開口の大きさは、少なくとも反射板１７０板端部１７４が挿入できる大きさである必要がある。開口部１４３の下側の縁部の傾斜部１４６の形状は、反射板１７０板端部１７４の形状と略等しいので、板端部１７４を開口部１４３に挿入することが容易となる。
【００２９】
反射板１７０を枠部１４０の開口部１４３へ挿入する際、反射板１７０の反射部１７１が開口部１４３の誘導片１４４に接触する可能性がある。誘導片１４４は、反射部１７１と接触しても、反射部１７１の下方の面に傷や塗装はがれが起こらないように、Ｒ（曲部）形状の曲げ加工（曲げ加工部１４４ａ）が施されている。
図６（ａ）では、反射板１７０を開口部１４３に挿入する長さは、反射板１７０の全長Ｌ４が１対の内側面部１４２の間の長さＬ３より余長になっている長さ（Ｌ５×２）以上の長さである必要がある。
【００３０】
次に、上記余長になっている長さ（Ｌ５×２）以上、反射板１７０を開口部１４３に挿入した後、反射板１７０が水平になるようにバネ部１５０を押し上げながら、他方の板端部１７４を上方に持ち上げる。つまり、反射板１７０の他方の板端部１７４を上方向に向けて回転させる。このとき、反射部１７１の被取付面２００側の面と、バネ部１５０の先端部である接触部１５１とが当接し、反射部１７１の被取付面２００側の面によりバネ部１５０の接触部１５１が上方へ押し上げられる。
【００３１】
図６（ｂ）は、反射板１７０が水平（すなわち、取付板部１６１に対して略平行）になった状態の一方の板端部１７４を示している。図６（ｂ）に示すように、反射板１７０が水平になった状態のままで、反射板１７０の他方の板端部１７４の引掛け部１７３を、他方の開口部１４３へ挿入する。つまり、反射板１７０を他方の開口部１４３の方へ水平に移動させる。これにより、一方の開口部１４３には、反射板１７０の一方の板端部１７４の引掛け部１７３が挿入された状態となる。このとき、反射部１７１は、１対の内側面部１４２の内側へ移動し、中央開口１４７に位置する。
【００３２】
次に、反射板１７０に対してかけている力を緩めると、図６（ｃ）に示すように、反射板１７０の自重と、バネ部１５０の下方への押力により、反射板１７０の引掛け部１７３が開口部１４３の下方の縁部１４３ａに形成された反射板嵌合部１４５に引っ掛けられる。引掛け部１７３の凹部１７３１が反射板嵌合部１４５と係合（嵌合）する。
【００３３】
バネ部１５０の接触部１５１は、反射部１７１の取付板部１６１側の面と接触し、反射部１７１を照射方向側に押し付ける。これにより、凹部１７３１が反射板嵌合部１４５との係合（嵌合）がより強固となり、反射板１７０が１対の内側面部１４２から外れるのを防ぐ。このように、バネ部１５０は、反射板１７０を所定の位置に固定する（取り付ける）だけでなく、振動、衝撃などによる反射板１７０のはずれを抑制し、落下を防止する。
【００３４】
なお、図４に示す開口部１４３の図、図６に示す開口部１４３及び反射板１７０の取付方法の図は模式図であり、反射板１７０の形状・金属板の厚み、内側面部１４２の厚み、開口部１４３の幅・形状、傾斜部１４６部分の幅・形状、誘導片１４４の幅・形状、反射板嵌合部１４５の幅・形状等は、適宜設計変更することが可能である。
【００３５】
図７は、本実施の形態に係る枠部１４０に反射板１７０を取り付けた状態を示す図であり、（ａ）は反射板１７０を取り付けた枠部１４０を被取付面側（上方）から見た斜視図、（ｂ）は（ａ）のＢ部を拡大した部分拡大図である。
【００３６】
図７（ａ）に示すように、枠部１４０に反射板１７０が取り付けられると、中央開口１４７の中心部分が反射板１７０により塞がれる。このとき、反射板１７０の板端部１７４と内側面部１４２とは近接あるいは当接しているので、反射板１７０が取り付けられた部分の中央開口１４７は、一方の内側面部１４２から他方の内側面部１４２まで隙間無く塞がれる。
さらに、反射板１７０と開口部１４３との取付部分（引掛け部１７３と反射板嵌合部１４５等の構成）は、内側面部１４２の外側となり、内側面部１４２と外側面部１４１とにより覆われるので、露出することがない。
以上により、意匠性の高い照明装置１００を実現することができる。
【００３７】
図７（ｂ）に示すように、反射板１７０の反射板側面部１７２と、開口部１４３の上下方向の縁部１４８とは、近接あるいは当接するように設計する。これにより、より意匠性が向上するとともに反射板１７０のがたつき、外れ等を防止する。
【００３８】
図８は、図７（ａ）の開口部１４３部分をＰ３方向から見た模式図である。
図８では、開口部１４３部分に取り付けられた反射板１７０の外形を点線で示している。
図８に示すように、反射板１７０が枠部１４０に取り付けられると、反射板１７０の板端部１７４は、開口部１４３の傾斜部１４６よりも、やや下方に位置する。つまり、傾斜部１４６及び誘導片１４４は、反射板１７０の内側に位置し、反射板１７０により覆われることとなる。これにより、より意匠性が向上する。
【００３９】
なお、本実施の形態では、２つの光源部１２０と、２つの光源部１２０の間に設置される反射板１７０の取り付け方法に関して説明したが、光源部１２０、反射板１７０の数はこの限りでなくてよい。
本実施の形態では、光源部１２０、電源部１３０が本体部１６０に取り付けられているが、枠部１４０に取り付けられる構造でもよい。
本実施の形態では、反射板１７０のＶ形形状の曲げ形状で説明したが、曲線形状、多角形状、直線、または反射板でなく化粧板でもよい。
本実施の形態では、反射板１７０を枠部１４０内へ挿入する際に、誘導片１４４による反射板１７０の移動の補助方法について説明したが、誘導片１４４以外の移動補助の方法でもよい。
本実施の形態では、開口部１４３を有する一対の内側面部１４２（一対の壁部）は、枠部１４０が備える構成としたが、例えば、取付板部１６１が備えていてもよい。一対の壁部が取付板部１６１と一体形成されていてもよい。
【００４０】
以上のように、本実施の形態に係る反射板取付機構１１０及び照明装置１００によれば、取付部分が意匠面に表れないため意匠性を向上させることができるとともに、反射板の弾性力を必要としないため形状の自由度を高めることができるという効果を奏する。
【００４１】
以上、本発明の実施の形態について説明したが、本実施の形態を部分的に実施しても構わない。あるいは、本実施の形態の部分を組み合わせて実施しても構わない。なお、本発明は、本実施の形態に限定されるものではなく、必要に応じて種々の変更が可能である。
【符号の説明】
【００４２】
１００  照明装置、１１０  反射板取付機構、１２０  光源部、１２１  光源保持部、１２２  ＬＥＤユニット、１２２ａ  ＬＥＤ、１２２ｂ  基板部、１２３  光源カバー部、１３０  電源部、１４０  枠部、１４１  外側面部、１４２  内側面部、１４３  開口部、１４３ａ  下方の縁部、１４４  誘導片、１４４ａ  曲げ加工部、１４５  反射板嵌合部、１４６  傾斜部、１４７  中央開口、１４８  上下方向の縁部、１５０  バネ部、１５１  接触部、１６０  本体部、１６１  取付板部、１６２  本体縁部、１６３  辺、１７０  反射板、１７１  反射部、１７２  反射板側面部、１７３  引掛け部、１７４  板端部、１８０  本体取付孔、２００  被取付面、１２３１  端面、１４２２  枠部取付部、１７３１  凹部、１７３２  スライド部。
【図１】
2018022708.tif 000003
【図２】
2018022708.tif 000004
【図３】
2018022708.tif 000005
【図４】
2018022708.tif 000006
【図５】
2018022708.tif 000007
【図６】
2018022708.tif 000008
【図７】
2018022708.tif 000009
【図８】
2018022708.tif 000010